(57)【要約】【課題】組み立てが容易で、デザイン的に優れ小型化が可能であるとともに、高い防水性能を確保できる無線通信機のＰＴＴスイッチ構造を提供する。【解決手段】ケーシング２の少なくとも一部を構成する前面ケーシング部材３の壁面に操作レバー装着用凹部３１が設けられ、この操作レバー装着用凹部３１の底３２の、タクトスイッチ７を臨む部分にタクトスイッチ操作孔３３が穿設され、このタクトスイッチ操作孔３３が弾性止水材６によって封止されており、操作レバー５は、操作部５１が、操作レバー装着用凹部３１に嵌め込まれ、嵌め込みによって、操作レバー装着用凹部３１内に設けられた枢支部にその一端側を中心に他端が所定ストローク幅で回動自在するように枢着されていることを特徴としている。【選択図】      図３
2004179121.tif 000002
【特許請求の範囲】
【請求項１】
タクトスイッチがケーシング内に設けられ、タクトスイッチの操作レバーがそのスイッチ押圧部をタクトスイッチに離接自在となるようにケーシングに装着されていて、
弾性変形しつつスイッチ押圧部の押圧力をタクトスイッチに伝達するとともに、外部からケーシング内への浸水を防止する弾性止水材がタクトスイッチと、操作レバーとの間に配置されている無線通信機のＰＴＴスイッチ構造において、
ケーシングの少なくとも一部を構成するケーシング部材の壁面に操作レバー装着用凹部が設けられ、
この操作レバー装着用凹部の底の、タクトスイッチを臨む部分にタクトスイッチ操作孔が穿設され、このタクトスイッチ操作孔が弾性止水材によって封止されており、
操作レバーは、操作部が、操作レバー装着用凹部に嵌め込まれ、嵌め込みによって、操作レバー装着用凹部内に設けられた枢支部を中心に所定ストローク幅で回動自在に枢着されていることを特徴とする無線通信機のＰＴＴスイッチ構造。
【請求項２】
操作レバーは、操作部の他端側から先端部に係止爪を有する延出片が操作レバー装着用凹部の底方向に延出していて、操作部が枢支部に枢支された状態で操作レバー装着用凹部に押し込まれることによって延出片が弾性変形しつつ操作レバー装着用凹部内の入り込み、操作レバー装着用凹部内に設けられた操作レバーの外れ止め係止部の位置で弾性復元して、係止爪が係止部に係止されることによって操作部の回動ストローク幅が規制されている請求項１に記載の無線通信機のＰＴＴスイッチ構造。
【請求項３】
操作部が操作レバー装着用凹部の開口部内周形状と略同じ外周形状をしている請求項１または請求項２に記載の無線通信機のＰＴＴスイッチ構造。
【発明の詳細な説明】
【０００１】
【発明の属する技術分野】
本発明は、無線通信機のＰＴＴスイッチ構造に関する。
【０００２】
【従来の技術】
従来、図６に示すように、装置本体を囲繞するケーシング１１０がケーシング１１０をその側面で２つ割りにした前面ケーシング部材１１１と後面ケーシング部材１１２とを、その開口側の端面同士を突き合わせた状態に組み立てることによって形成される無線通信機１００が上市されている。
この無線通信機１００の場合、前面ケーシング部材１１１および後面ケーシング部材１１２のそれぞれの接合面である端面に沿って断面略コ字形の凹溝（図示せず）がその開口を対面するように穿設されていて、弾性シール材（図示せず）が両凹溝に跨がって嵌まり込むように端面同士を接合させることによって、前面ケーシング部材１１１と後面ケーシング部材１１２との接合面からケーシング１１０内に水が入り込まないようにした防水構造を備えている（特許文献１参照）。
【０００３】
ところで、上記無線通信機１００の場合、上記のように防水構造を備えているが、近年要求されているＪＩＳ保護等級７級のような高い防水性能を得ることができない。すなわち、上記無線通信機１００の場合、ケーシング１１０内に設けられたタクトスイッチを操作するＰＴＴスイッチの操作レバー１２０が、前面ケーシング部材１１１と後面ケーシング部材１１２との間にその一部が挟み込まれた状態で装着されるようになっているため、前面ケーシング部材１１１および後面ケーシング部材１１２の操作レバー１２０の装着部に切欠１４０が設けられていて、凹溝の一部が切断されている。したがって、操作レバー１２０の装着部近傍で、前面ケーシング部材１１１および後面ケーシング部材１１２の端面同士が直接接合しない部分が生じ、接合圧が不均一となり、ＪＩＳ保護等級７級のような高い防水性能を得ることができない。
【０００４】
そこでより高い防水性能を達成するために、図７および図８に示すような無線通信機２００がすでに提案されている。すなわち、この無線通信機２００は、後面ケーシング部材２１０の周壁面に設けられた凹部２１１に操作ボタン２２０を後面ケーシング部材２１０の外側から装着するようにすることによって、この前面ケーシング部材２３０と後面ケーシング部材２１０とを全周に渡って均等に接合されるような構造にして、ＪＩＳ保護等級７級を満足する防水性能を確保するようにしている。
【０００５】
なお、上記無線通信機２００は、操作ボタン２２０が、シリコーンゴム等の弾性材料によって一体成形され、凹部２１１に嵌まり込む大きさのシート状をした弾性止水部２２１と、弾性止水部２２１から突出するように設けられた操作部２２２とを備えて、操作ボタン２２０が弾性止水材を兼ねている。そして、操作ボタン２２０を、弾性止水部２２１を凹部２１１に嵌まり込むように配置したのち、枠部材２４０を枠部材２４０に設けられた貫通孔２４１から操作部２２２を外部に露出させた状態で凹部２２１に嵌め込むとともに、枠部材２４０をビス２５０によって後面ケーシング部材２１０に固定し、操作ボタン２２０を後面ケーシング部材２１０に装着するとともに、操作ボタン２２０によって凹部２１１の底に設けられたタクトスイッチ操作孔２６０を水密に塞ぎ、ＰＴＴスイッチ部分からケーシング内への水の浸入防止するようにしている。
【０００６】
しかし、このようなＰＴＴスイッチの構造では、細かいビス２５０を用いて枠部材２４０を後面ケーシング部材２１０に固定しなければならないため、組み立て作業性が悪い。しかも、ビス２５０は、接着剤を塗布した状態で後面ケーシング部材２１のねじ受け部にねじ込まれ、緩まないようにされるようになっているが、ケーシングに衝撃が加わったりすると、接着剤が割れてビス２５０が取れてしまい、防水性能に支障をきたす恐れがある。また、ビス２５０がケーシングの表面に露出しているため、製品外観の面で少し問題がある。さらに、凹部２１１を、ケーシング部材に操作ボタン２２０だけでなく、枠部材２４０までも嵌まり込む大きさにしなければならないとともに、ねじ受け部がケーシング内に突出するなど、ＰＴＴスイッチの取り付けスペースがかなり必要となり、ケーシングの小型化に限界があった。
【０００７】
【特許文献１】特開２００１−２９７６５９号公報
【０００８】
【発明が解決しようとする課題】
本発明は、上記事情に鑑みて、組み立てが容易で、デザイン的に優れ小型化が可能であるとともに、高い防水性能を確保できる無線通信機のＰＴＴスイッチ構造を提供することを目的としている。
【０００９】
【課題を解決するための手段】
上記目的を達成するために、本発明の請求項１に記載の無線通信機のＰＴＴスイッチ構造（以下、「請求項１のスイッチ構造」と記す）は、タクトスイッチがケーシング内に設けられ、タクトスイッチの操作レバーがそのスイッチ押圧部をタクトスイッチに離接自在となるようにケーシングに装着されていて、弾性変形しつつスイッチ押圧部の押圧力をタクトスイッチに伝達するとともに、外部からケーシング内への浸水を防止する弾性止水材がタクトスイッチと、操作レバーとの間に配置されている無線通信機のＰＴＴスイッチ構造において、ケーシングの少なくとも一部を構成するケーシング部材の壁面に操作レバー装着用凹部が設けられ、この操作レバー装着用凹部の底の、タクトスイッチを臨む部分にタクトスイッチ操作孔が穿設され、このタクトスイッチ操作孔が弾性止水材によって封止されており、操作レバーは、操作部が、操作レバー装着用凹部に嵌め込まれ、嵌め込みによって、操作レバー装着用凹部内に設けられた枢支部を中心に所定ストローク幅で回動自在に枢着されていることを特徴としている。
【００１０】
本発明の請求項２に記載の無線通信機のＰＴＴスイッチ構造（以下、「請求項２のスイッチ構造」と記す）は、請求項１のスイッチ構造において、操作レバーは、操作レバーは、操作部の他端側から先端部に係止爪を有する延出片が操作レバー装着用凹部の底方向に延出していて、操作部が枢支部に枢支された状態で操作レバー装着用凹部に押し込まれることによって延出片が弾性変形しつつ操作レバー装着用凹部内の入り込み、操作レバー装着用凹部内に設けられた操作レバーの外れ止め係止部の位置で弾性復元して、係止爪が係止部に係止されることによって操作部の回動ストローク幅が規制されていることを特徴としている。
【００１１】
本発明の請求項３に記載の無線通信機のＰＴＴスイッチ構造（以下、「請求項３のスイッチ構造」と記す）は、請求項１または請求項２のスイッチ構造において、操作部が操作レバー装着用凹部の開口部内周形状と略同じ外周形状をしていることを特徴としている。
【００１２】
【発明の実施の形態】
以下に、本発明を、その実施の形態をあらわす図面を参照しつつ詳しく説明する。
図１〜図５は、本発明にかかる無線通信機の１つの実施の形態をあらわしている。
【００１３】
図１〜図３に示すように、この無線通信機１は、合成樹脂製のケーシング２の一部を構成する前面ケーシング部材３にＰＴＴスイッチ４が設けられている。
ＰＴＴスイッチ４は、図３〜図５に示すように、操作レバー５と、弾性止水材６と、タクトスイッチ７と、フレキシブル基板８のタクトスイッチ実装部８１と、固定カバー９とから構成されている。
【００１４】
前面ケーシング部材３は、その周壁の一部に、開口部が前面ケーシング部材３の上下方向に長くそのコーナー部をアール形状に面取りされた略長方形をした操作レバー装着用凹部（以下、「装着用凹部」とのみ記す）３１が凹設され、操作レバー５がこの装着用凹部３１の前面ケーシング部材３の外側から嵌め込まれることによって前面ケーシング部材３に装着されている。
すなわち、装着用凹部３１は、その底３２の後述するタクトスイッチ７を臨む位置にタクトスイッチ操作孔３３が穿設されている。
【００１５】
また、装着用凹部３１は、内壁の前面ケーシング部材３の下側に位置する面に後述する操作レバー５に設けられた軸部５２の枢支部となる軸受け凹部３４が穿設され、底３２の長手方向の他方（前面ケーシング部材３の上側）に後述する延出片５３の先端部が入り込む外れ止め係止部としての係止孔３７が穿設されている。
操作レバー５は、操作部５１と、軸部５２と、延出片５３と、スイッチ押圧部５４とを備えている。
【００１６】
操作部５１は、装着用凹部３１の開口部内周壁と略同じ外周形状をしていて、表面にスベリ止め用の３本の突条５１ａが平行に設けられている。
軸部５２は、細長い円柱状をした軸部本体５２ａと、操作部５１の裏面の長手方向の一端から操作部５１からはみ出すように張り出し、軸部本体５２ａを操作部５１の短辺に対して平行に支持する本体支持部５２ｂとを備えている。
【００１７】
延出片５３は、操作部５１の長手方向他端部で操作部５１の裏面に対して垂直に延出し、先端に、先端側から操作部５１の長手方向他端に向かって徐々に張り出すようなテーパ面５３ｂを有する断面略三角形をした係止爪５３ａが設けられている。
スイッチ押圧部５４は、操作部５１の略中央部で裏面側に突設され、略円柱状をしている。
また、スイッチ押圧部５４と延出片５３との間には、操作部５１が装着用凹部３１側に回動したとき、装着用凹部３１の底３２に当接して延出片５３の先端が後述する弾性止水材６の凹部６３の底にあたらないようにするストッパ用突起５６が突設されている。
【００１８】
そして、操作レバー５は、装着用凹部３１の開口部から軸部本体５２ａを軸受け凹部３４に挿入し、操作部５１によって装着用凹部３１が略隠れるように配置したのち、延出片５３の係止爪５３ａが係止孔３７越しに前面ケーシング部材３内に入り込むまで操作部５１の他端側を装着用凹部３１側へ押圧することによって前面ケーシング部材３に装着されるようになっている。
【００１９】
また、延出片５３は、操作部５１が装着用凹部３１側へ押圧されると、係止爪５３ａのテーパ面５３ｂが係止孔３７の内縁に当接し、テーパ面５３ｂのテーパによって延出片５３がスイッチ押圧部５４方向に撓むように弾性変形しながら、係止孔３７から前面ケーシング部材３内に入り込み、係止爪５３ａ部分が完全に前面ケーシング部材３内に入り込むと、延出片５３が弾性復元力によって、元の状態に戻り、係止爪５３ａが係止孔３７の内縁より操作部５１の他端側に飛び出たようになる。
【００２０】
すなわち、操作レバー５は、装着用凹部３１に嵌め込まれるだけで、ストッパ用突起５６が装着用凹部３１の底３２に当たるまで、操作部５１が軸部本体５２ａを中心にスイッチ押圧部５４がタクトスイッチ７に接する方向に回動し、係止爪５３ａが係止孔３７の縁部に当たって係止されるまでタクトスイッチ７から離れる方向に回動するストロークで前面ケーシング部材３に枢着されている。
【００２１】
弾性止水材６は、合成ゴムや合成樹脂エラストマーによって形成されていて、固定部６１と可動部６２とを備え、装着用凹部３１の底３２と略同じ大きさをしている。
固定部６１は、装着用凹部３１の裏面に両面テープ６１ａを介してタクトスイッチ操作孔３３および係止孔３７の周囲を囲むように水密に固定されるとともに、係止孔３７を臨む部分に延出片５３の先端部が入り込む係止孔３７より大きな凹部６３が穿設されている。
【００２２】
可動部６２は、固定部６１を装着用凹部３１の裏面に固定すると、タクトスイッチ操作孔３３から装着用凹部３１内に突出しその先端面にスイッチ押圧部５４が嵌まり込む嵌合凹部６４ａを備えた突出部６４と、この突出部６４と突出部６４の周囲と固定部６１とを連結する薄肉部６５とを備え、操作部５１がケーシング２の内側に向かって押圧され、突出部６４がスイッチ押圧部５４によって押圧されると、薄肉部６５の部分が弾性変形し、突出部６４がタクトスイッチ操作孔３３を介して前面ケーシング部材３の内側に入り込み、突出部６４の裏面に設けられた突部６４ｂが後述するタクトスイッチ７を押圧するようになっている。また、操作部５１への押圧が解除されると、突出部６４が弾性復元力によって押圧前の状態に戻り、タクトスイッチ７への押圧が解除されるようになっている。すなわち、操作部５１が、係止爪５３ａが係止孔３７の縁部に当たり係止されるまでタクトスイッチ７から離れる方向に軸部本体５２ａを中心に回動するようになっている。
【００２３】
また、固定部６１は、前面ケーシング部材３の内側の面に後述するフレキイシブル基板８のタクトスイッチ実装部８１が嵌まり込む嵌合凹部６４ａが設けられている。
【００２４】
タクトスイッチ７は、フレキシブル基板８のタクトスイッチ実装部８１に実装されていて、タクトスイッチ実装部８１を嵌合凹部６４ａに嵌め込んだ状態で、固定カバー９を前面ケーシング部材３に装着することによって、突出部６４の突起６４ｂを臨む位置にセットされるようになっている。
また、タクトスイッチ実装部８１には、タクトスイッチ７を両側から挟むようにに小孔８２が穿設されている。
【００２５】
固定カバー９は、図３〜図５に示すように、ステンレス鋼板等の金属板を打ち抜き折り曲げ加工して形成されていて、略弾性止水材６と同じか少し大きめの長方形をしていて、一方の長辺側の端縁中央部にフレキシブル基板８のケーシング２内部への出口となる切欠９１ａが設けられた本体部９１と、本体部９１の他方の長辺および両短辺から直角に折れ曲がって形成された弾性止水材６の側面カバー部９２と、短辺側の側面カバー部９２からそれぞれ外側に直角に折れ曲がるように設けられた鍔部９３とを備えている。そして、図３および図４に示すように、弾性止水材６およびタクトスイッチ７を所定取り付け位置に配置した状態で、切欠９１ａ側を先頭にして鍔部９３を装着用凹部３１の長手方向側に装着用凹部３１の裏面を両側から挟むように設けられたスライド溝３９にスライド嵌合することによって前面ケーシング部材３に装着される。また、この装着によって、その本体部９１が、フレキシブル基板８のタクトスイッチ実装部８１および弾性止水材６の固定部６１を装着用凹部３１の裏面側に圧接し、弾性止水材６による防水性を高めるとともに、タクトスイッチ実装部８１を所定位置にしっかりと固定するようになっている。
【００２６】
また、固定カバー９の本体部９１には、固定カバー９の装着時にタクトスイッチ実装部８１の小孔８２に対応する位置に略同じ径の小孔９１ｂが穿設されている。
なお、ＰＴＴスイッチ４の組み立ては、前面ケーシング部材３に操作レバー５を最初に装着しても、最後に装着するようにしてもよい。
【００２７】
この無線通信機１のＰＴＴスイッチ構造は、以上のように、操作レバー５が、装着用凹部３１の開口部から軸部本体５２ａを軸受け凹部３４に挿入し、操作部５１によって装着用凹部３１が略隠れるように配置したのち、延出片５３の係止爪５３ａが係止孔３７越しに前面ケーシング部材３内に入り込むまで操作部５１の他端側を装着用凹部３１側へ押圧するだけで前面ケーシング部材３に装着できるので、組み立てが容易であるとともに、表面にビスなどが露出せずデザイン的に優れるとともに、装着用凹部３が、操作レバー５のみを嵌め込めるだけの大きさで済み、ケーシング２の小型化を図ることができる。
また、前面ケーシング部材３に装着用凹部３１を設けるようにしたので、前面ケーシング部材３と後面ケーシング部材（図示せず）とがその全周にわたって均一に接合でき、ＪＩＳ保護等級７級を満足する高い防水性能を確保することができるとともに、業務ユースに耐えるケーシング強度を得ることができる。
【００２８】
しかも、操作レバー５の操作部５１が、軸部本体５２ａを中心に回動自在になっているので、がたつきが少ない。しかも、操作部５１が、装着用凹部３１の開口部内周壁と略同じ外周形状をしているので、よりがたつきが少なく操作感に優れたものとなる。
タクトスイッチ実装部８１および固定カバー９の本体部９１に小孔８２、９１ｂがそれぞれ設けられているので、タクトスイッチ７のクリック音が小孔８２および小孔９１ｂを介してケーシング２内に響き、操作感を増すことができる。
【００２９】
本発明は、上記の実施の形態に限定されない。たとえば、上記の実施の形態では、前面ケーシング部材３に装着用凹部３１が設けられていたが、後面ケーシング部材に設けるようにしても構わない。
また，上記の実施の形態では、係止爪５３ａが装着用凹部３１の底３２に穿設された係止孔３７に係止されるようになっていたが、装着用凹部３１の内壁面の係止爪５３ａに対応する部分に凹部を設け、この凹部の装着用凹部開口側の面に係止爪を係止させる構造としても構わない。
上記の実施の形態では、タクトスイッチ７がフレキシブル基板８に実装されていたが、プリント基板に実装するようにしても構わない。
【００３０】
【発明の効果】
本発明にかかる無線通信機のＰＴＴスイッチ構造は、以上のように構成されているので、組み立てが容易で、デザイン的に優れ小型化が可能であるとともに、ＪＩＳ保護等級７級を満足する高い防水性能を確保することができる。
特に、請求項３のスイッチ構造のようにすれば、操作レバーががたつきなくスムーズに操作でき、より操作性に優れたものとなる。
【図面の簡単な説明】
【図１】本発明にかかる無線通信機の１つの実施の形態をあらわす正面図である。
【図２】図１の無線通信機の前面ケーシング部材の側面図である。
【図３】図２のＸ−Ｘ線断面図である。
【図４】図３から操作レバーを取り除いた状態の断面図である。
【図５】図１の無線通信機のＰＴＴスイッチ部分の分解斜視図である。
【図６】従来の無線通信機の１例をあらわす分解側面図である。
【図７】従来の無線通信機の他の例をあらわす分解側面図である。
【図８】図７の無線通信機の分解斜視図である。
【符号の説明】
１  無線通信機
２  ケーシング
３  前面ケーシング部材
３１  操作レバー装着用凹部
３２  底
３３  タクトスイッチ操作孔
３４  軸受け凹部（枢支部）
３７  係止孔（外れ止め係止部）
４  ＰＴＴスイッチ
５  操作レバー
５１  操作部
５３  延出片
５３ａ  係止爪
６  弾性止水材
７  タクトスイッチ
【図１】
2004179121.tif 000003
【図２】
2004179121.tif 000004
【図３】
2004179121.tif 000005
【図４】
2004179121.tif 000006
【図５】
2004179121.tif 000007
【図６】
2004179121.tif 000008
【図７】
2004179121.tif 000009
【図８】
2004179121.tif 000010